(57)【要約】【課題】正極活物質層及び負極活物質層が対向している対向領域に対して局所的な荷重が付与されることを抑制することができる蓄電装置を提供すること。【解決手段】蓄電装置としての二次電池は、正極活物質層２１ｂが形成された正極シート及び負極活物質層２２ｂが形成された負極シートがセパレータ２３を間に挟んだ状態で積層された電極組立体１４を備えている。ここで、電極組立体１４の最外部には、各電極シート及びセパレータを固定するための固定テープ５１が貼着されている。固定テープ５１は、積層方向において各活物質層２１ｂ，２２ｂが対向する対向領域２４に対して重なる重なり部６０を備え、重なり部６０は非矩形状となっている。【選択図】図３
2014007103.tif 000002
【特許請求の範囲】
【請求項１】
正極活物質を含む正極活物質層が形成された正極シート、負極活物質を含む負極活物質層が形成された負極シート及びセパレータが積層されて構成された電極組立体と、
前記電極組立体を収容するケースと、
を備えた蓄電装置において、
前記電極組立体には、前記正極活物質層と前記負極活物質層とが前記セパレータを介して対向する対向領域が形成されており、
前記正極シート、前記負極シート及び前記セパレータを固定するための固定テープが前記電極組立体の最外部に貼着されており、
前記固定テープの少なくとも一部は前記正極シート及び前記負極シートの積層方向において前記対向領域に重なる重なり部を備え、前記重なり部は少なくとも一部が非矩形状であることを特徴とする蓄電装置。
【請求項２】
前記重なり部は、そのエッジが前記積層方向から見て非鋭角形状となるように形成されていることを特徴とする請求項１に記載の蓄電装置。
【請求項３】
前記重なり部は、全体として前記積層方向から見てＵ字状であることを特徴とする請求項２に記載の蓄電装置。
【請求項４】
前記重なり部は、当該重なり部のエッジから内側に向けて凹んだ凹部が形成されていることによって前記非矩形状となっていることを特徴とする請求項１又は請求項２に記載の蓄電装置。
【請求項５】
前記重なり部のエッジは、前記凹部が前記重なり部のエッジに所定の周期で形成されていることにより、波形状であることを特徴とする請求項４に記載の蓄電装置。
【請求項６】
前記重なり部は前記固定テープの少なくとも一方の端部であることを特徴とする請求項１〜５のうちいずれか一項に記載の蓄電装置。
【請求項７】
前記蓄電装置は二次電池であることを特徴とする請求項１〜６のうちいずれか一項に記載の蓄電装置。
【発明の詳細な説明】
【技術分野】
【０００１】
本発明は蓄電装置に関する。
【背景技術】
【０００２】
ＥＶ（Ｅｌｅｃｔｒｉｃ  Ｖｅｈｉｃｌｅ）やＰＨＶ（Ｐｌｕｇ  ｉｎ  Ｈｙｂｒｉｄ  Ｖｅｈｉｃｌｅ）などの車両には、走行用モータへの供給電力を蓄える蓄電装置としての二次電池が搭載されている。二次電池は、例えば両面に正極活物質層が形成された正極シート及び両面に負極活物質層が形成された負極シートがセパレータを間に挟んだ状態で積層された電極組立体と、当該電極組立体を収容するケースとを備えている。また、特許文献１には、電極組立体を構成する各電極シート及びセパレータを固定するべく、電極組立体の側面を跨ぐように固定テープが貼り付けられている構成が記載されている。
【先行技術文献】
【特許文献】
【０００３】
【特許文献１】特開２００８−９１０９９号公報
【発明の概要】
【発明が解決しようとする課題】
【０００４】
ここで、電極組立体の側面を跨ぐように固定テープが貼り付けられた電極組立体をケースに収容した際には、ケースの内面と、電極組立体において正極活物質層及び負極活物質層が対向している対向領域との間に固定テープの一部が介在する場合がある。この場合、電極組立体の充放電に伴う膨張等によって、固定テープを介して、ケースから対向領域に対して正極シート及び負極シートの積層方向から荷重（押圧力）が付与される場合がある。また、複数の蓄電装置を上記積層方向に重ねて、それぞれを直列に接続することで組電池を形成した場合には、当該各蓄電装置には、上記積層方向から拘束荷重が付与される場合がある。すると、上記固定テープにおいて対向領域とケースの内面との間に介在する部位のエッジに荷重が集中し、電気伝導に係るイオンの析出物が発生する場合がある。
【０００５】
本発明は、上述した事情を鑑みてなされたものであり、各活物質層が対向している対向領域に対して局所的な荷重が付与されることを抑制することができる蓄電装置を提供することを目的とする。
【課題を解決するための手段】
【０００６】
上記目的を達成するために、請求項１に係る発明は、正極活物質を含む正極活物質層が形成された正極シート、負極活物質を含む負極活物質層が形成された負極シート及びセパレータが積層されて構成された電極組立体と、前記電極組立体を収容するケースと、を備えた蓄電装置において、前記電極組立体には、前記正極活物質層と前記負極活物質層とが前記セパレータを介して対向する対向領域が形成されており、前記正極シート、前記負極シート及び前記セパレータを固定するための固定テープが前記電極組立体の最外部に貼着されており、前記固定テープの少なくとも一部は前記正極シート及び前記負極シートの積層方向において前記対向領域に重なる重なり部を備え、前記重なり部は少なくとも一部が非矩形状であることを特徴とする。
【０００７】
かかる発明によれば、重なり部が非矩形状をなしているため、矩形状に形成されている構成と比較して、荷重を分散させ易い。
重なり部が矩形状である場合、重なり部には直角のコーナ部が形成されている。このコーナ部には荷重が集中し易い。これに対して、本発明によれば、重なり部が非矩形状に形成されているため、上記のようなコーナ部が形成されることを回避することができる。
【０００８】
以上のことから、対向領域に対して局所的な荷重が付与されることを抑制することができる。なお、「固定テープ」には、劣化等によって、正極シート、負極シート及びセパレータを固定している固定状態から、その固定が解除された非固定状態に移行したものが含まれる。
【０００９】
請求項２に係る発明は、前記重なり部は、そのエッジが前記積層方向から見て非鋭角形状となるように形成されていることを特徴とする。かかる発明によれば、重なり部のエッジにおいて、局所的に荷重が集中し易い鋭角部が形成されない。これにより、重なり部のエッジにおいて、優先的に荷重が付与される箇所が形成されることが回避されている。よって、重なり部への局所的な荷重を、より好適に抑制することができる。
【００１０】
請求項３に係る発明は、前記重なり部は、全体として前記積層方向から見てＵ字状であることを特徴とする。かかる発明によれば、重なり部がＵ字状に形成されているため、重なり部のエッジにおいて鋭角な部分が形成されないようになっている。これにより、比較的簡素な構成で、重なり部への局所的な荷重を抑制することができる。
【００１１】
また、重なり部のエッジにおいて、当該エッジから積層方向と直交する方向の外側に突出した局所的な凸部が形成されていないため、当該凸部から剥がれて固定テープにシワが発生するといった不都合を回避することができる。
【００１２】
請求項４に係る発明は、前記重なり部は、当該重なり部のエッジから内側に向けて凹んだ凹部が形成されていることによって前記非矩形状となっていることを特徴とする。かかる発明によれば、重なり部のエッジから内側に向けて凹んだ凹部が形成されているため、凹部が形成されることなく直線状に形成されている構成と比較して、重なり部のエッジの周長が長くなっている。これにより、エッジに付与される単位長さ当たりの荷重を小さくすることができる。
【００１３】
また、固定テープが多角形状に形成されている構成においては、コーナ部に凹部を形成することにより、コーナ部が面取りされる。これにより、コーナ部への荷重の集中を回避することができる。
【００１４】
請求項５に係る発明は、前記重なり部のエッジは、前記凹部が前記重なり部のエッジに所定の周期で形成されていることにより、波形状であることを特徴とする。かかる発明によれば、凹部が所定の周期で形成されていることにより、重なり部のエッジが波形状となっているため、エッジが直線状に形成されている構成と比較して、エッジの周長が長くなっている。これにより、上記エッジへの荷重の集中を、より好適に抑制することができる。
【００１５】
なお、「波形状」とは、例えば三角波状、正弦波状、矩形波状等が考えられる。この場合、例えば凹部を積層方向から見てＶ字状に形成することにより、エッジは三角波状となる。
【００１６】
請求項６に係る発明は、前記重なり部は前記固定テープの少なくとも一方の端部であることを特徴とする。かかる発明によれば、重なり部のエッジに対する荷重の分散化を通じて、固定テープの少なくとも一方の端部への荷重の集中を抑制することができ、その結果対向領域に対して局所的な荷重が付与されることを抑制することができる。
【００１７】
請求項７に係る発明は、前記蓄電装置は二次電池であることを特徴とする。
【発明の効果】
【００１８】
この発明によれば、対向領域に対して局所的な荷重が付与されることを抑制することができる。
【図面の簡単な説明】
【００１９】
【図１】二次電池の分解斜視図。
【図２】電極組立体の分解斜視図。
【図３】固定テープの周辺を示す正面図。
【図４】１−１線断面図。
【図５】（ａ）〜（ｃ）は別例の固定テープを示す正面図。
【発明を実施するための形態】
【００２０】
以下、本発明に係る蓄電装置について図１〜図４を用いて説明する。なお、本蓄電装置は、車両（自動車及び産業用車両）に搭載されており、車両に搭載された走行用モータ（電動機）を駆動するのに用いられる。また、図面の都合上、図４においては、ケース１１、各電極シート２１，２２及び固定テープ５１の各厚さ等を、適宜実際の寸法とは異ならせて示す。
【００２１】
図１に示すように、蓄電装置としての二次電池１０はリチウムイオン二次電池であり、その外郭を構成する金属製のケース１１を備えている。ケース１１は、四角箱状、詳細には一方に開口した直方体形状の容器１２と、当該容器１２の開口を塞ぐ蓋１３とを備えている。
【００２２】
ケース１１には、充放電要素としての電極組立体１４及び電解質としての電解液（図示略）が収容されている。電極組立体１４は、ケース１１の形状に対応させて全体として略直方体形状をなしている。図２に示すように、電極組立体１４は、正極電極としての正極シート２１及び負極電極としての負極シート２２が、電気伝導に係るイオン（リチウムイオン）が通過可能に形成されたシート状のセパレータ２３を間に挟んだ状態で交互に積層されて構成されている。
【００２３】
各電極シート２１，２２及びセパレータ２３はそれぞれ、矩形状（詳細には長方形状）に形成されており、互いに相似形状となっている。正極シート２１は負極シート２２よりも一回り小さく形成されており、具体的には正極シート２１のシート面の各方向の長さはそれぞれ、負極シート２２のシート面の各方向の長さよりも短く設定されている。セパレータ２３は、負極シート２２よりも一回り大きく形成されており、具体的にはセパレータ２３のシート面の各方向の長さはそれぞれ、負極シート２２のシート面の各方向の長さよりも長く設定されている。
【００２４】
正極シート２１は、矩形状の正極金属箔（例えばアルミニウム箔）２１ａと、当該正極金属箔２１ａの両面に正極活物質が塗布されることにより形成された正極活物質層２１ｂとから構成されている。正極活物質層２１ｂは、正極シート２１（正極金属箔２１ａ）のシート面のうち当該正極シート２１の一辺部２１ｃに沿った一部の領域以外の領域に形成されている。
【００２５】
負極シート２２は、正極金属箔２１ａよりも一回り大きく形成された矩形状の負極金属箔（例えば銅箔）２２ａと、当該負極金属箔２２ａの両面に負極活物質が塗布されることにより形成された負極活物質層２２ｂとから構成されている。負極活物質層２２ｂは、負極シート２２（負極金属箔２２ａ）のシート面のうち当該負極シート２２の一辺部２２ｃに沿った一部の領域以外の領域に形成されており、正極活物質層２１ｂよりも大きく形成されている。
【００２６】
電極組立体１４は、各電極シート２１，２２及びセパレータ２３がその各中心を一致した状態で積層されることによって形成されている。この場合、図２及び図４に示すように、セパレータ２３が各電極シート２１，２２をオーバラップして覆っているため、各電極シート２１，２２は短絡しない。
【００２７】
また、各電極シート２１，２２及びセパレータ２３が積層されている状態において、正極活物質層２１ｂと負極活物質層２２ｂとがセパレータ２３を介して対向している。詳細には、正極活物質層２１ｂは、その全体がセパレータ２３を介して負極活物質層２２ｂに覆われている。この各活物質層２１ｂ，２２ｂが対向している領域を対向領域２４という。
【００２８】
ちなみに、正極活物質層２１ｂの全体が負極活物質層２２ｂに覆われている関係上、対向領域２４の広さは正極活物質層２１ｂの広さと一致している。つまり、正極活物質層２１ｂが対向領域２４の広さを規定している。
【００２９】
図１に示すように、電極組立体１４（各電極シート２１，２２）の積層方向と直交する方向の側面のうち蓋１３側の側面１４ａには、当該側面１４ａから突出した各集電タブ（各タブ）３１，３２が設けられている。図２に示すように、各集電タブ３１，３２はそれぞれ、各電極シート２１，２２の一辺部２１ｃ，２２ｃの一部から各金属箔２１ａ，２２ａを延出させることにより形成されている。各集電タブ３１，３２の延出寸法は、電極組立体１４の側面１４ａから十分に突出するように、詳細には各電極シート２１，２２及びセパレータ２３が積層された状態においてセパレータ２３から突出するように十分長く設定されている。
【００３０】
なお、念のため説明すると、本明細書においては、説明の便宜上、正極シート２１には正極集電タブ３１が含まれないものとする。同様に、負極シート２２には負極集電タブ３２が含まれないものとする。
【００３１】
図２に示すように、各電極シート２１，２２は、これらの中心を一致させつつ、各集電タブ３１，３２の同一極性同士が積層方向に列状に配置される一方、異なる極性同士が積層方向に重ならないように、各電極シート２１，２２の向きを考慮して積層されている。
【００３２】
図１に示すように、各正極集電タブ３１は、電極組立体１４における積層方向の一端から他端までの範囲内で集められた（束ねられた）状態で折り曲げられている。詳細には、各正極集電タブ３１は、電極組立体１４の積層方向の一端側に寄せて集められており、その集められた状態で、上記一端側とは反対側である積層方向の他端側に向けて折り返されている。そして、その各正極集電タブ３１が重なっている箇所を溶接することによって、各正極集電タブ３１が互いに電気的に接続されている。負極集電タブ３２についても同様である。
【００３３】
図１に示すように、二次電池１０は、各正極集電タブ３１と電気的に接続された正極端子４１と、各負極集電タブ３２と電気的に接続された負極端子４２とを備えている。各端子４１，４２は、蓋１３に形成された貫通孔を介してケース１１を貫通した状態で取り付けられており、その一部がケース１１外に露出している。よって、電極組立体１４の電力をケース１１外に取り出すことができるとともに、ケース１１外から電極組立体１４に対して電力を供給して、電極組立体１４を充電することが可能となっている。
【００３４】
図１に示すように、電極組立体１４の最外部には、各電極シート２１，２２及びセパレータ２３を固定するための複数（２つ）の固定テープ５１が貼り付けられている。各固定テープ５１は、積層方向から見て電極組立体１４の長手方向の両側面（両端面）１４ｂ，１４ｃに貼り付けられている。各固定テープ５１は同一であるため、１の固定テープ５１について以下に詳細に説明する。
【００３５】
図４に示すように、固定テープ５１は、ベース層５１ａ及び当該ベース層５１ａの片面に形成された接着層５１ｂから構成されており、所定の厚みを有している。また、固定テープ５１は長尺形状に形成されており、その長手方向の長さが電極組立体１４の積層方向の長さよりも長く設定されている。そして、固定テープ５１の長手方向の両端は湾曲している。
【００３６】
固定テープ５１は、積層方向における電極組立体１４の２つの最外面に跨って貼り付けられている。詳細には、電極組立体１４の積層方向と直交する方向の側面１４ｂを介して（跨いで）、電極組立体１４の積層方向の両側面（最外面）１４ｄ，１４ｅに貼り付けられている。これにより、各電極シート２１，２２及びセパレータ２３が、位置ずれしない状態で一体に固定されている。なお、電極組立体１４の最外面はセパレータ２３が構成している。
【００３７】
図３に示すように、固定テープ５１は、側面１４ｄの長手方向の端部５２から側面１４ｄの内側（積層方向に直交する方向）に向けて延びている。そして、固定テープ５１の両端部が対向領域２４に対して積層方向から重なっている。以降、固定テープ５１において、対向領域２４に対して積層方向から重なっている部位を重なり部６０という。換言すれば、固定テープ５１は、積層方向において対向領域２４に重なる重なり部６０が形成されるように貼り付けられているとも言える。そして、電極組立体１４がケース１１内に収容されている状態において、重なり部６０はケース１１によって押圧されている。すなわち、重なり部６０には、積層方向から荷重（押圧力）が付与されている。
【００３８】
ちなみに、電極組立体１４とケース１１の内面とは、固定テープ５１の厚さ分だけ離間している。このため、ケース１１からの荷重を受ける領域は、積層方向から見た重なり部６０の領域と一致している。つまり、ケース１１からの荷重は重なり部６０に集中している。
【００３９】
ここで、重なり部６０は、上記荷重を分散させるための形状をなしている。具体的には、図３に示すように、重なり部６０は積層方向から見て非矩形状をなしている。詳細には、重なり部６０のエッジ６０ａには、当該重なり部６０の延びる方向に向けて凸となるように湾曲した湾曲部６０ｂが形成されており、重なり部６０は全体として積層方向から見てＵ字状をなしている。
【００４０】
ちなみに、湾曲部６０ｂが重なり部６０の各コーナ部６０ｃ，６０ｄを構成していることに着目すれば、重なり部６０は、各コーナ部６０ｃ，６０ｄが湾曲するように形成されているとも言える。
【００４１】
なお、固定テープ５１の接着層５１ｂ（図４参照）は、電解液や電極組立体１４の充放電が繰り返し行われることに起因する発熱等によって、接着性能が低下する。このため、固定テープ５１は、その固定機能が低下又は消失する場合がある。この場合であっても、電極組立体１４がケース１１内に収容されている態様においては、電極組立体１４に対して積層方向から荷重が付与されているため、各電極シート２１，２２及びセパレータ２３の位置ずれが発生しにくい。
【００４２】
なお、固定テープ５１によって各電極シート２１，２２及びセパレータ２３の固定が行われている状態が「固定状態」に対応し、上記固定が解除されている状態が「非固定状態」に対応する。
【００４３】
次に、本実施形態の作用について以下に説明する。
既に説明したとおり、固定テープ５１の両端部であって、電極組立体１４（対向領域２４）とケース１１の内面との間に介在している重なり部６０がＵ字状をなしている。これにより、コーナ部が９０度の矩形状をなしている構成と比較して、各コーナ部６０ｃ，６０ｄに付与される荷重が分散されている。
【００４４】
以上詳述した本実施形態によれば以下の優れた効果を奏する。
（１）積層方向において対向領域２４に重なる重なり部６０が形成されるように、各電極シート２１，２２及びセパレータ２３を固定するための固定テープ５１を貼り付けた。そして、上記重なり部６０を非矩形状、詳細には積層方向から見てＵ字状に形成した。これにより、矩形状に形成されている場合と比較して、重なり部６０の各コーナ部６０ｃ，６０ｄに付与される荷重が分散されている。よって、重なり部６０（固定テープ５１）の各コーナ部６０ｃ，６０ｄに局所的な荷重が付与されることを回避することができる。したがって、重なり部６０の各コーナ部６０ｃ，６０ｄに局所的な荷重が付与されることに起因するリチウムの析出を抑制することができる。
【００４５】
すなわち、コーナ部が９０度の矩形状の重なり部を採用した場合、重なり部のコーナ部、詳細には２辺が交差する頂点部分に荷重が集中し易くなる。これに対して、本実施形態によれば、各コーナ部６０ｃ，６０ｄが頂点を有さない湾曲した形状となっているため、上記のような荷重が集中し易い箇所が発生しない。これにより、重なり部６０のエッジ６０ａに付与される荷重を好適に分散することができる。
【００４６】
（２）ここで、積層方向において対向領域２４に重ならないように固定テープを貼り付けることも考えられる。しかしながら、この場合、貼付面積が狭くなるため、各電極シート２１，２２及びセパレータ２３の固定機能が低下する。かといって、貼付面積の拡大を図るべく、対向領域２４を狭くして、各活物質層２１ｂ，２２ｂが対向しない領域を拡大させると、エネルギ密度の低下が懸念される。
【００４７】
これに対して、本実施形態によれば、対向領域２４に対してその積層方向から重なっている重なり部６０が形成されている構成において、対向領域２４への局所的な荷重を軽減することができる。これにより、固定テープ５１による固定を好適に行いつつ、リチウムの析出を抑制することができる。
【００４８】
（３）また、重なり部６０に付与される荷重の分散を図るためには、例えば重なり部６０の面積を大きくすることも考えられる。しかしながら、重なり部６０の面積を大きくするべく固定テープ５１を大きくすると、その分貼り付け作業が煩雑なものとなり易い。
【００４９】
これに対して、本実施形態によれば、重なり部６０のエッジ６０ａにおいて鋭角が形成されないようにすることにより、比較的小さな固定テープ５１であっても、好適に荷重の分散を図ることができる。
【００５０】
（４）さらに、各電極シート２１，２２及びセパレータ２３を固定するために、比較的容易に行うことができる固定テープ５１を貼り付ける構成を採用した。これにより、固定に係る作業性の向上を図ることができる。
【００５１】
（５）重なり部６０の形状として、比較的簡素なＵ字状を採用した。これにより、固定テープ５１の形状を簡素なものとすることができ、荷重を分散させるための構成を設けることに起因する構成の複雑化を抑制することができる。
【００５２】
さらに、重なり部６０をＵ字状に形成したことによって、重なり部６０のエッジ６０ａにおいて、積層方向と直交する方向の外側に突出した局所的な凸部が形成されない。これにより、当該凸部から剥がれることに起因するシワの発生といった不都合を回避することができる。
【００５３】
なお、上記実施形態は以下のように変更してもよい。
○  実施形態では、重なり部６０は全体としてＵ字状であったが、これに限られない。要は、鋭角部（先細り部）が形成されないように重なり部のエッジが非鋭角形状に形成されていればよい。例えば、図５（ａ）に示す重なり部７０には、積層方向から見て当該重なり部７０のエッジ７０ａから内側に向けて凹んだ凹部７０ｂが形成されている。凹部７０ｂは、重なり部７０の各コーナ部７０ｃ，７０ｄにそれぞれ形成されている。これにより、重なり部７０のエッジ７０ａにおいて鋭角部が形成されておらず、局所的な荷重が付与されにくくなっている。
【００５４】
○  また、重なり部のエッジの周長（エッジを規定する辺の全長）を長くして、重なり部のエッジに付与される荷重を分散させてもよい。詳細には、図５（ｂ）に示す重なり部８０は、そのエッジ８０ａが波形状、詳細には三角波状に形成されている。これにより、エッジが直線状に形成されている矩形状のものと比較して、重なり部８０のエッジ８０ａの周長が長くなっているため、重なり部８０のエッジ８０ａに対して付与される単位長さ当たりの荷重が小さくなる。よって、重なり部８０に局所的な荷重が付与されることを抑制することができる。
【００５５】
なお、上記構成は、重なり部８０には、当該エッジ８０ａから内側に向けて凹んだＶ字状の凹部８０ｂが所定の周期で形成されているとも言える。
○  さらに、図５（ｃ）に示す重なり部９０は、そのエッジ９０ａが正弦波状をなしている。これにより、エッジが直線状に形成されている矩形状のものと比較して、重なり部９０のエッジ９０ａの周長が長くなっているとともに、当該エッジ９０ａに鋭角部が形成されていない。よって、重なり部９０に局所的な荷重が付与されることを、より好適に抑制することができる。なお、上記構成は、重なり部９０には、重なり部９０のエッジ９０ａが正弦波状となるように、当該エッジ９０ａから内側に向けて凹んだ凹部９０ｂが所定の周期で形成されているとも言える。
【００５６】
すなわち、重なり部のエッジに付与される荷重を分散するためには、重なり部は、エッジが非鋭角形状である、及びエッジの周長が長くなるの少なくとも一方の条件を満たす形状であればよい。但し、形状の簡素化等に着目すれば、実施形態のように重なり部６０をＵ字状に形成する方が好ましい。
【００５７】
○  なお、波形状の具体的な構成は任意であり、例えば上述した波形の他に矩形波状であってもよい。
○  また、各重なり部８０，９０においては、各エッジ８０ａ，９０ａ全体が波形状に形成されていたが、これに限られず、一部が波形状である構成であってもよい。
【００５８】
○  さらに、周期的な波形状に限られず、非周期の蛇行形状であってもよい。要は、重なり部のエッジの少なくとも一部が、周長が長くなるように非直線部で形成されていればよい。
【００５９】
○  固定テープ５１の貼付箇所の数及び位置は任意である。例えば固定テープ５１を、６箇所に貼り付ける構成としてもよいし、電極組立体１４において各集電タブ３１，３２が形成されている側面１４ａを跨いで貼り付ける構成としてもよい。要は、固定テープ５１は、電極組立体１４をその積層方向から挟むように貼り付けられていればよい。
【００６０】
○  固定テープ５１とは別に、電極組立体１４を覆う絶縁シートを設けてもよい。
○  実施形態では、正極活物質層２１ｂが負極活物質層２２ｂよりも小さく形成されていたが、これに限られず、両者を同一の大きさとしてもよい。この場合、対向領域２４の広さは各活物質層の広さと同一となる。
【００６１】
○  実施形態では、負極シート２２がセパレータ２３よりも小さく形成されていたが、これに限られず、両者を同一の大きさとしてもよい。
○  実施形態では、各電極シート２１，２２及びセパレータ２３はそれぞれ長方形状であったが、これに限られず、正方形状であってもよい。また、矩形状に限られず、他の形状（例えば四角形状以外の多角形状又は楕円形状等）であってもよい。
【００６２】
○  実施形態では、電極組立体１４として所謂積層型を採用したが、これに限られない。例えば、長尺状の正極シート及び負極シートと、各電極シートの間に介在する長尺状のセパレータとからなる積層体が捲回されて構成されたものであって、捲回軸方向から見て扁平形状をなした捲回型の電極組立体を採用してもよい。かかる構成においては、積層体の終端部を跨ぐように電極組立体の最外面に固定テープを貼り付けることにより、積層体の終端部が固定され、各電極シート及びセパレータが固定される。この場合、ケース１１の内面と電極組立体の最外面との間に固定テープの一部又は全部が介在し、固定テープに荷重が付与されても、実施形態のように非矩形状の固定テープを採用することにより、局所的な荷重が付与されるのを回避することができる。
【００６３】
○  実施形態では、各電極シート２１，２２及びセパレータ２３は各中心が一致する状態で積層されていたが、これに限られない。各電極シート２１，２２がそれぞれセパレータ２３によって覆われ、且つ正極活物質層２１ｂが負極活物質層２２ｂによって覆われた状態で積層されれば、各中心がずれた状態で積層されている構成であってもよい。
【００６４】
○  各実施形態では、二次電池１０はリチウムイオン二次電池であったが、これに限られず、ニッケル水素等の他の二次電池であってもよい。要は、正極活物質層と負極活物質層との間をイオンが移動するとともに電荷の授受を行うものであればよい。
【００６５】
○  各実施形態では、二次電池１０は車両に搭載されている構成としたが、これに限られず、他の装置に搭載される構成としてもよい。
○  本発明を、電気二重層コンデンサ等の他の蓄電装置に適用してもよい。
【００６６】
次に、上記実施形態及び別例から把握できる技術的思想について以下に記載する。
（イ）正極活物質層が形成された正極シート、負極活物質層が形成された負極シート及びセパレータが積層されて構成された電極組立体と、前記電極組立体を収容するケースと、を備えた蓄電装置において、前記電極組立体には、前記正極活物質層及び前記負極活物質層が前記セパレータを介して対向する対向領域が形成されており、前記正極シート、前記負極シート及び前記セパレータを固定するための固定テープを備え、前記固定テープは、前記対向領域に対して前記正極シート及び前記負極シートの積層方向から重なる重なり部を備え、前記重なり部は、そのエッジの周長が長くなるように、又は前記エッジが非鋭角形状となるように構成されていることを特徴とする蓄電装置。
【００６７】
（ロ）正極活物質層が形成された正極シート、負極活物質層が形成された負極シート及びセパレータが積層されて構成された電極組立体と、前記電極組立体を収容するケースと、を備えた蓄電装置において、前記電極組立体には、前記正極活物質層及び前記負極活物質層が前記セパレータを介して対向する対向領域が形成されており、前記正極シート、前記負極シート及び前記セパレータを固定するための固定テープを備え、前記固定テープは、前記対向領域に対して前記正極シート及び前記負極シートの積層方向から重なる重なり部を備え、前記重なり部のエッジの少なくとも一部には、前記重なり部のエッジの周長を長くする非直線部及び非鋭角部の少なくとも一方が形成されており、前記重なり部は、前記積層方向から見て非矩形状となっていることを特徴とする蓄電装置。
【００６８】
（ハ）正極活物質層が形成された正極シート、負極活物質層が形成された負極シート及びセパレータが積層されて構成された電極組立体と、前記電極組立体を収容するケースと、を備えた蓄電装置において、前記電極組立体には、前記正極活物質層及び前記負極活物質層が前記セパレータを介して対向する対向領域が形成されており、前記正極シート、前記負極シート及び前記セパレータを固定するための固定テープを備え、前記固定テープは、前記対向領域に対して前記正極シート及び前記負極シートの積層方向から重なる重なり部を備え、前記重なり部のエッジの少なくとも一部には、波形状、円弧状又は蛇行形状をなした非直線部が形成されていることを特徴とする蓄電装置。
【００６９】
（ニ）前記凹部は、前記重なり部のコーナ部に形成されていることを特徴とする請求項４に記載の蓄電装置。
【符号の説明】
【００７０】
１０…蓄電装置としての二次電池、１１…ケース、１４…電極組立体、２１…正極シート、２２…負極シート、２３…セパレータ、２４…対向領域、５１…固定テープ、６０…重なり部、６０ａ…重なり部のエッジ、６０ｂ…湾曲部、７０，８０，９０…別例の重なり部。
【図１】
2014007103.tif 000003
【図２】
2014007103.tif 000004
【図３】
2014007103.tif 000005
【図４】
2014007103.tif 000006
【図５】
2014007103.tif 000007